(57)【要約】【課題】個々の利用者に特化したＲＳＳ文書データやＨＴＭＬ文書データを生成するウェブ文書データ提供装置を提供する。【解決手段】本発明のウェブ文書データ提供装置は、インターネット上で提供される任意のＨＴＭＬ文書データのＵＲＬを指定するＵＲＬ指定手段と、ＵＲＬからＨＴＭＬ文書データを取得するＨＴＭＬ取得手段と、ＨＴＭＬ文書データの任意の範囲箇所を指定する部分指定手段と、ＵＲＬと範囲箇所とを記憶する部分情報保存手段と、ＨＴＭＬ文書データの任意の範囲箇所に含まれるリンク情報を抽出するリンク抽出手段と、リンク情報をまとめてＲＳＳ文書データを生成するＲＳＳ生成手段と、ＲＳＳ文書データを保存するＲＳＳ文書保存手段とを有することを特徴とする。【選択図】図１
2008123425.tif 000002
【特許請求の範囲】
【請求項１】
インターネット上で提供される任意のＨＴＭＬ文書データの任意の範囲箇所を抽出して、ＲＳＳ文書データを生成し提供するウェブ文書データ提供装置であって、
インターネット上で提供される任意の前記ＨＴＭＬ文書データのＵＲＬを指定するＵＲＬ指定手段と、
前記ＵＲＬから前記ＨＴＭＬ文書データを取得するＨＴＭＬ取得手段と、
前記ＨＴＭＬ文書データの任意の範囲箇所を指定する部分指定手段と、
前記ＵＲＬと、前記範囲箇所とを記憶する部分情報保存手段と、
前記ＨＴＭＬ文書データの任意の範囲箇所に含まれるリンク情報を抽出するリンク抽出手段と、
前記リンク情報をまとめてＲＳＳ文書データを生成するＲＳＳ生成手段と、
前記ＲＳＳ文書データを保存するＲＳＳ文書保存手段と
を有することを特徴とするウェブ文書データ提供装置。
【請求項２】
前記部分指定手段は、前記ＨＴＭＬ文書データ中のコメントタグ情報を検出することによって範囲箇所を指定する
ことを特徴とする請求項１に記載のウェブ文書データ提供装置。
【請求項３】
前記部分指定手段は、前記ＨＴＭＬ文書データ中のＨＴＭＬ要素のＩＤ情報を検出することによって範囲箇所を指定する
ことを特徴とする請求項１に記載のウェブ文書データ提供装置。
【請求項４】
前記部分指定手段は、前記ＨＴＭＬ文書データ中のＨＴＭＬ要素のタグ情報を検出することによって範囲箇所を指定する
ことを特徴とする請求項１に記載のウェブ文書データ提供装置。
【請求項５】
インターネット上で提供される一または複数のＲＳＳ文書データをまとめて表示するＨＴＭＬ文書データを提供するウェブ文書データ提供装置であって、
インターネット上で提供される一または複数の任意の前記ＲＳＳ文書データのＵＲＬを指定するＵＲＬ指定手段と、
前記ＵＲＬからＲＳＳ文書データを収得するＲＳＳ取得手段と、
一または複数の前記ＲＳＳ文書データをまとめたＨＴＭＬ文書データを生成するＲＳＳ表示手段と、
前記ＨＴＭＬ文書データが含む一または複数のＲＳＳ文書データ情報の、少なくとも表示位置と表示スタイルとの編集を行う表示設定手段と
を有することを特徴とするウェブ文書データ提供装置。
【請求項６】
インターネット上で提供される任意のＨＴＭＬ文書データの任意の範囲箇所を抽出して、ＲＳＳ文書データを生成し提供するウェブ文書データ提供方法であって、
インターネット上で提供される任意の前記ＨＴＭＬ文書データのＵＲＬを指定するＵＲＬ指定ステップと、
前記ＵＲＬから前記ＨＴＭＬ文書データを取得するＨＴＭＬ取得ステップと、
前記ＨＴＭＬ文書データの任意の範囲箇所を指定する部分指定ステップと、
前記ＵＲＬと、前記範囲箇所とを記憶する部分情報保存ステップと、
前記ＨＴＭＬ文書データの任意の範囲箇所に含まれるリンク情報を抽出するリンク抽出ステップと、
前記リンク情報をまとめてＲＳＳ文書データを生成するＲＳＳ生成ステップと、
前記ＲＳＳ文書データを保存するＲＳＳ文書保存ステップと
を有することを特徴とするウェブ文書データ提供方法。
【請求項７】
前記部分指定ステップは、前記ＨＴＭＬ文書データ中のコメントタグ情報を検出することによって範囲箇所を指定する
ことを特徴とする請求項６に記載のウェブ文書データ提供方法。
【請求項８】
前記部分指定ステップは、前記ＨＴＭＬ文書データ中のＨＴＭＬ要素のＩＤ情報を検出することによって範囲箇所を指定する
ことを特徴とする請求項６に記載のウェブ文書データ提供方法。
【請求項９】
前記部分指定ステップは、前記ＨＴＭＬ文書データ中のＨＴＭＬ要素のタグ情報を検出することによって範囲箇所を指定する
ことを特徴とする請求項６に記載のウェブ文書データ提供方法。
【請求項１０】
インターネット上で提供される一または複数のＲＳＳ文書データをまとめて表示するＨＴＭＬ文書データを提供するウェブ文書データ提供方法であって、
インターネット上で提供される一または複数の任意の前記ＲＳＳ文書データのＵＲＬを指定するＵＲＬ指定ステップと、
前記ＵＲＬからＲＳＳ文書データを収得するＲＳＳ取得ステップと、
一または複数の前記ＲＳＳ文書データをまとめたＨＴＭＬ文書データを生成するＲＳＳ表示ステップと、
前記ＨＴＭＬ文書データが含む一または複数のＲＳＳ文書データ情報の、少なくとも表示位置と表示スタイルとの編集を行う表示設定ステップと
を有することを特徴とするウェブ文書データ提供方法。
【請求項１１】
インターネット上で提供される任意のＨＴＭＬ文書データの任意の範囲箇所を抽出して、ＲＳＳ文書データを生成し提供するウェブ文書データ提供システムであって、
インターネット上で提供される任意の前記ＨＴＭＬ文書データのＵＲＬを指定するＵＲＬ指定手段と、
前記ＵＲＬから前記ＨＴＭＬ文書データを取得するＨＴＭＬ取得手段と、
前記ＨＴＭＬ文書データの任意の範囲箇所を指定する部分指定手段と、
前記ＵＲＬと、前記範囲箇所とを記憶する部分情報保存手段と、
前記ＨＴＭＬ文書データの任意の範囲箇所に含まれるリンク情報を抽出するリンク抽出手段と、
前記リンク情報をまとめてＲＳＳ文書データを生成するＲＳＳ生成手段と、
前記ＲＳＳ文書データを保存するＲＳＳ文書保存手段と
を有することを特徴とするウェブ文書データ提供システム。
【請求項１２】
前記部分指定手段は、前記ＨＴＭＬ文書データ中のコメントタグ情報を検出することによって範囲箇所を指定する
ことを特徴とする請求項１１に記載のウェブ文書データ提供システム。
【請求項１３】
前記部分指定手段は、前記ＨＴＭＬ文書データ中のＨＴＭＬ要素のＩＤ情報を検出することによって範囲箇所を指定する
ことを特徴とする請求項１１に記載のウェブ文書データ提供システム。
【請求項１４】
前記部分指定手段は、前記ＨＴＭＬ文書データ中のＨＴＭＬ要素のタグ情報を検出することによって範囲箇所を指定する
ことを特徴とする請求項１１に記載のウェブ文書データ提供システム。
【請求項１５】
インターネット上で提供される一または複数のＲＳＳ文書データをまとめて表示するＨＴＭＬ文書データを提供するウェブ文書データ提供システムであって、
インターネット上で提供される一または複数の任意の前記ＲＳＳ文書データのＵＲＬを指定するＵＲＬ指定手段と、
前記ＵＲＬからＲＳＳ文書データを収得するＲＳＳ取得手段と、
一または複数の前記ＲＳＳ文書データをまとめたＨＴＭＬ文書データを生成するＲＳＳ表示手段と、
前記ＨＴＭＬ文書データが含む一または複数のＲＳＳ文書データ情報の、少なくとも表示位置と表示スタイルとの編集を行う表示設定手段と
を有することを特徴とするウェブ文書データ提供システム。
【発明の詳細な説明】
【技術分野】
【０００１】
本発明は、インターネット上で提供されるＨＴＭＬ文書データの任意の範囲箇所を抽出してカスタマイズＲＳＳ文書データを生成し、生成した前記カスタマイズＲＳＳ文書データの内容とインターネット上に提供される他のＲＳＳ文書データの内容とを含んだカスタマイズＨＴＭＬ文書データを生成し、また、前記カスタマイズＨＴＭＬ文書データの表示レイアウトを利用者に変更可能とするウェブ文書データ提供装置、方法、およびシステムに関する。
【背景技術】
【０００２】
従来、インターネット上のウェブページとして閲覧可能なＨＴＭＬ(Hyper Text Markup Language)文書データを生成する方法として、ＰＣ（Personal Computer）などのコンピュータ端末を用いてＨＴＭＬ形式に沿ったＨＴＭＬ文書データを生成し、生成したＨＴＭＬ文書データをウェブサーバに送信・登録する方法が知られている（例えば、特許文献１参照）。
【０００３】
近年では、ブログサービスの普及に伴って、ＸＭＬ(Extensible Markup Language)言語を用いて、 ウェブページ（ＨＴＭＬ文書データ）に掲載される新着情報等の見出し等を抽出し要約したＲＳＳ(RDF Site Summary）文書データを生成し、生成したＲＳＳ文書データをウェブサーバに登録して、これを利用者に提供する方法が普及しつつある。利用者が、あらかじめ興味があるウェブページに対応する上記ＲＳＳ文書データのＵＲＬ（Uniform Resource Locator）をＲＳＳリーダーアプリケーションに登録しておくと、ＲＳＳリーダーが定期的にＲＳＳ文書データを取得する。これにより、利用者はＲＳＳ文書データに対応するウェブページの新着情報・更新状態を、興味あるウェブページに個々にアクセスすることなく確認できる。ＲＳＳリーダーとしては、例えば、一または複数のＲＳＳ文書データをＨＴＭＬ文書データにまとめて提供するサービスが実施されている。
【０００４】
ところで、ブログサービスには、編集者が作成したブログ記事から、タイトルや作成日時、記事の概要等を含むＲＳＳ文書データを自動的に作成するＲＳＳ文書データ自動生成サービス機能を提供されている場合がある。
図２は、従来技術によるブログ記事生成時のＲＳＳ文書データ生成の動作例である。ブログ編集者は、専用ウェブページから記事タイトル、記事本文、記事カテゴリ等の記事情報を入力し、ブログサーバに送信する。ブログサーバは、受信した記事情報をブログサイトＤＢ（Data Base）に記憶する。その後、ブログサーバ管理者が定める一定の時間間隔で、ブログサイトＤＢに蓄積された記事情報が読み出され、これらの記事情報がＲＳＳ形式にまとめられてＲＳＳ文書データが生成され、ＲＳＳＤＢに記憶される。
【特許文献１】特開平１０−１３３９８８号公報
【発明の開示】
【発明が解決しようとする課題】
【０００５】
しかしながら、上記のようなＲＳＳ文書データ自動生成サービスは全てのブログサービスが備えているわけではなく、また、ニュースサイト等の他のウェブページが全てＲＳＳ文書データを提供しているわけではない。このため、利用者の興味あるウェブページがＲＳＳ文書データを提供していなかった場合、そのウェブサイトには、ウェブページの更新状態を確認するために直接ウェブページへアクセスする必要があった。
【０００６】
また、上記のようなサイト運営者が提供するＲＳＳ文書データに含まれるウェブページ更新情報はサイト運営者の視点によって抽出されるため、必ずしも個々の利用者が望む更新情報を抽出して提供できるわけではない。例えば、上記のようなブログサービスにおけるＲＳＳ文書データ自動生成サービスにおいては、ＲＳＳ文書データ化されるのは新着記事に限られる場合が多く、この場合は情報として有用な新着コメント、新着トラックバックなどの情報はＲＳＳ文書データに含まれないため、これらを参照するためには当該ウェブページへ直接アクセスする必要があった。
【０００７】
本発明は、このような状況に鑑みてなされたもので、利用者が、ＲＳＳ文書データ化するＨＴＭＬ文書データの抽出部分を設定可能とし、また、利用者の設定に従って一または複数のＲＳＳ文書データをまとめてレイアウトしたＨＴＭＬ文書データを生成し、個々の利用者に特化したＲＳＳ文書データやＨＴＭＬ文書データを提供することを目的とする。
【課題を解決するための手段】
【０００８】
請求項１記載の発明は、インターネット上で提供される任意のＨＴＭＬ文書データの任意の範囲箇所を抽出して、ＲＳＳ文書データを生成し提供するウェブ文書データ提供装置であって、インターネット上で提供される任意の前記ＨＴＭＬ文書データのＵＲＬを指定するＵＲＬ指定手段と、前記ＵＲＬから前記ＨＴＭＬ文書データを取得するＨＴＭＬ取得手段と、前記ＨＴＭＬ文書データの任意の範囲箇所を指定する部分指定手段と、前記ＵＲＬと、前記範囲箇所とを記憶する部分情報保存手段と、前記ＨＴＭＬ文書データの任意の範囲箇所に含まれるリンク情報を抽出するリンク抽出手段と、前記リンク情報をまとめてＲＳＳ文書データを生成するＲＳＳ生成手段と、前記ＲＳＳ文書データを保存するＲＳＳ文書保存手段とを有することを特徴とするウェブ文書データ提供装置。
【０００９】
この構成により、 ＨＴＭＬ文書の任意の部分を指定して抽出し、抽出部分に含まれるリンク情報からＲＳＳ文書を生成することが可能となる。
【００１０】
請求項２記載の発明は、前記部分指定手段は、前記ＨＴＭＬ文書データ中のコメントタグ情報を検出することによって範囲箇所を指定することを特徴とする請求項１に記載のウェブ文書データ提供装置。
【００１１】
この構成により、指定したい部分の前後に記述されているコメントタグを指定することで、 ＨＴＭＬ文書中の部分を特定することができる。
【００１２】
請求項３記載の発明は、前記部分指定手段は、前記ＨＴＭＬ文書データ中のＨＴＭＬ要素のＩＤ情報を検出することによって範囲箇所を指定することを特徴とする請求項１に記載のウェブ文書データ提供装置。
【００１３】
この構成により、ＨＴＭＬ文書中で指定したい部分にＩＤが設定されている場合は、ＨＴＭＬ文書中でＩＤはユニークに設定されていることから、このＩＤを指定することで、ＨＴＭＬ文書中の部分を特定することができる。
【００１４】
請求項４記載の発明は、前記部分指定手段は、前記ＨＴＭＬ文書データ中のＨＴＭＬ要素のタグ情報を検出することによって範囲箇所を指定することを特徴とする請求項１に記載のウェブ文書データ提供装置。
【００１５】
この構成により、指定したい部分のタグに対してＨＴＭＬ文書中でユニークに決定されるタグ情報を指定することで、 ＨＴＭＬ文書中の部分を特定することができる。
【００１６】
請求項５記載の発明は、インターネット上で提供される一または複数のＲＳＳ文書データをまとめて表示するＨＴＭＬ文書データを提供するウェブ文書データ提供装置であって、インターネット上で提供される一または複数の任意の前記ＲＳＳ文書データのＵＲＬを指定するＵＲＬ指定手段と、前記ＵＲＬからＲＳＳ文書データを収得するＲＳＳ取得手段と、一または複数の前記ＲＳＳ文書データをまとめたＨＴＭＬ文書データを生成するＲＳＳ表示手段と、前記ＨＴＭＬ文書データが含む一または複数のＲＳＳ文書データ情報の、少なくとも表示位置と表示スタイルとの編集を行う表示設定手段と
を有することを特徴とするウェブ文書データ提供装置。
【００１７】
この構成により、複数のＲＳＳ文書を取り込んで生成されるＨＴＭＬ文書のレイアウトなどを自在に利用者側で設定し、個々の利用者に特化されたＨＴＭＬ文書を提供することができる。
【００１８】
請求項６記載の発明は、インターネット上で提供される任意のＨＴＭＬ文書データの任意の範囲箇所を抽出して、ＲＳＳ文書データを生成し提供するウェブ文書データ提供方法であって、インターネット上で提供される任意の前記ＨＴＭＬ文書データのＵＲＬを指定するＵＲＬ指定ステップと、前記ＵＲＬから前記ＨＴＭＬ文書データを取得するＨＴＭＬ取得ステップと、前記ＨＴＭＬ文書データの任意の範囲箇所を指定する部分指定ステップと、前記ＵＲＬと、前記範囲箇所とを記憶する部分情報保存ステップと、前記ＨＴＭＬ文書データの任意の範囲箇所に含まれるリンク情報を抽出するリンク抽出ステップと、前記リンク情報をまとめてＲＳＳ文書データを生成するＲＳＳ生成ステップと、前記ＲＳＳ文書データを保存するＲＳＳ文書保存ステップとを有することを特徴とするウェブ文書データ提供方法。
【００１９】
この構成により、 ＨＴＭＬ文書の任意の部分を指定して抽出し、抽出部分に含まれるリンク情報からＲＳＳ文書を生成することが可能となる。
【００２０】
請求項７記載の発明は、前記部分指定ステップは、前記ＨＴＭＬ文書データ中のコメントタグ情報を検出することによって範囲箇所を指定することを特徴とする請求項６に記載のウェブ文書データ提供方法。
【００２１】
この構成により、指定したい部分の前後に記述されているコメントタグを指定することで、 ＨＴＭＬ文書中の部分を特定することができる。
【００２２】
請求項８記載の発明は、前記部分指定ステップは、前記ＨＴＭＬ文書データ中のＨＴＭＬ要素のＩＤ情報を検出することによって範囲箇所を指定することを特徴とする請求項６に記載のウェブ文書データ提供方法。
【００２３】
この構成により、ＨＴＭＬ文書中で指定したい部分にＩＤが設定されている場合は、ＨＴＭＬ文書中でＩＤはユニークに設定されていることから、このＩＤを指定することで、ＨＴＭＬ文書中の部分を特定することができる。
【００２４】
請求項９記載の発明は、前記部分指定ステップは、前記ＨＴＭＬ文書データ中のＨＴＭＬ要素のタグ情報を検出することによって範囲箇所を指定することを特徴とする請求項６に記載のウェブ文書データ提供方法。
【００２５】
この構成により、指定したい部分のタグに対してＨＴＭＬ文書中でユニークに決定されるタグ情報を指定することで、 ＨＴＭＬ文書中の部分を特定することができる。
【００２６】
請求項１０記載の発明は、インターネット上で提供される一または複数のＲＳＳ文書データをまとめて表示するＨＴＭＬ文書データを提供するウェブ文書データ提供方法であって、インターネット上で提供される一または複数の任意の前記ＲＳＳ文書データのＵＲＬを指定するＵＲＬ指定ステップと、前記ＵＲＬからＲＳＳ文書データを収得するＲＳＳ取得ステップと、一または複数の前記ＲＳＳ文書データをまとめたＨＴＭＬ文書データを生成するＲＳＳ表示ステップと、前記ＨＴＭＬ文書データが含む一または複数のＲＳＳ文書データ情報の、少なくとも表示位置と表示スタイルとの編集を行う表示設定ステップとを有することを特徴とするウェブ文書データ提供方法。
【００２７】
この構成により、複数のＲＳＳ文書を取り込んで生成されるＨＴＭＬ文書のレイアウトなどを自在に利用者側で設定し、個々の利用者に特化されたＨＴＭＬ文書を提供することができる。
【００２８】
請求項１１記載の発明は、インターネット上で提供される任意のＨＴＭＬ文書データの任意の範囲箇所を抽出して、ＲＳＳ文書データを生成し提供するウェブ文書データ提供システムであって、インターネット上で提供される任意の前記ＨＴＭＬ文書データのＵＲＬを指定するＵＲＬ指定手段と、前記ＵＲＬから前記ＨＴＭＬ文書データを取得するＨＴＭＬ取得手段と、前記ＨＴＭＬ文書データの任意の範囲箇所を指定する部分指定手段と、前記ＵＲＬと、前記範囲箇所とを記憶する部分情報保存手段と、前記ＨＴＭＬ文書データの任意の範囲箇所に含まれるリンク情報を抽出するリンク抽出手段と、前記リンク情報をまとめてＲＳＳ文書データを生成するＲＳＳ生成手段と、前記ＲＳＳ文書データを保存するＲＳＳ文書保存手段とを有することを特徴とするウェブ文書データ提供システム。
【００２９】
この構成により、 ＨＴＭＬ文書の任意の部分を指定して抽出し、抽出部分に含まれるリンク情報からＲＳＳ文書を生成することが可能となる。
【００３０】
請求項１２記載の発明は、前記部分指定手段は、前記ＨＴＭＬ文書データ中のコメントタグ情報を検出することによって範囲箇所を指定することを特徴とする請求項１１に記載のウェブ文書データ提供システム。
【００３１】
この構成により、指定したい部分の前後に記述されているコメントタグを指定することで、 ＨＴＭＬ文書中の部分を特定することができる。
【００３２】
請求項１３記載の発明は、前記部分指定手段は、前記ＨＴＭＬ文書データ中のＨＴＭＬ要素のＩＤ情報を検出することによって範囲箇所を指定することを特徴とする請求項１１に記載のウェブ文書データ提供システム。
【００３３】
この構成により、ＨＴＭＬ文書中で指定したい部分にＩＤが設定されている場合は、ＨＴＭＬ文書中でＩＤはユニークに設定されていることから、このＩＤを指定することで、ＨＴＭＬ文書中の部分を特定することができる。
【００３４】
請求項１４記載の発明は、前記部分指定手段は、前記ＨＴＭＬ文書データ中のＨＴＭＬ要素のタグ情報を検出することによって範囲箇所を指定することを特徴とする請求項１１に記載のウェブ文書データ提供システム。
【００３５】
この構成により、指定したい部分のタグに対してＨＴＭＬ文書中でユニークに決定されるタグ情報を指定することで、 ＨＴＭＬ文書中の部分を特定することができる。
【００３６】
請求項１５記載の発明は、インターネット上で提供される一または複数のＲＳＳ文書データをまとめて表示するＨＴＭＬ文書データを提供するウェブ文書データ提供システムであって、インターネット上で提供される一または複数の任意の前記ＲＳＳ文書データのＵＲＬを指定するＵＲＬ指定手段と、前記ＵＲＬからＲＳＳ文書データを収得するＲＳＳ取得手段と、一または複数の前記ＲＳＳ文書データをまとめたＨＴＭＬ文書データを生成するＲＳＳ表示手段と、前記ＨＴＭＬ文書データが含む一または複数のＲＳＳ文書データ情報の、少なくとも表示位置と表示スタイルとの編集を行う表示設定手段と
を有することを特徴とするウェブ文書データ提供システム。
【００３７】
この構成により、複数のＲＳＳ文書を取り込んで生成されるＨＴＭＬ文書のレイアウトなどを自在に利用者側で設定し、個々の利用者に特化されたＨＴＭＬ文書を提供することができる。
【発明の効果】
【００３８】
以上説明したように、本発明によれば、インターネット上で提供されるＨＴＭＬ文書データの部分を抽出してカスタマイズＲＳＳ文書データを生成し、生成した前記カスタマイズＲＳＳ文書データの内容とインターネット上に提供される他のＲＳＳ文書データの内容とを含んだカスタマイズＨＴＭＬ文書データを生成し、また、前記カスタマイズＨＴＭＬ文書データの表示レイアウトを利用者に変更可能とするようにしたので、個々の利用者のニーズに応えるＲＳＳ利用環境を提供することができる。
【発明を実施するための最良の形態】
【００３９】
以下、本発明の一実施形態について、図面を参照して説明する。
図１は、本実施形態によるシステムの構成を示すブロック図である。
編集者端末３０１は、ウェブサーバ３０２が提供するＲＳＳ文書データとＨＴＭＬ文書データとのウェブ文書データの内容、レイアウトを登録する。
ウェブサーバ３０２は、編集者端末３０１に登録された情報に従ってウェブ文書データを生成し、利用者端末３０３に提供する。
利用者端末３０３は、ウェブサーバ３０２からウェブ文書データを受信し、表示する。
なお、編集者端末３０１と利用者端末３０３とは、同じ利用者の同じ端末であっても良い。
【００４０】
編集者端末３０１と、ウェブサーバ３０２と、利用者端末３０３とはそれぞれデータ送受信部を有しており、インターネットなどのネットワークを介して互いにデータの送受信が可能であることとする。また、編集者端末３０１と、利用者端末３０３とは、ウェブ文書データを表示可能なディスプレイ等の表示デバイスおよびキーボードやマウス等の入力デバイスを有することとし、編集者端末３０１の利用者および利用者端末３０３の利用者は上記表示デバイスに表示されたデータを閲覧しながら、上記入力デバイスを利用して情報の入力が可能であることとする。
【００４１】
編集者端末３０１は、部分情報決定部１１０と、レイアウト情報決定部２１０とを有する。
部分情報決定部１１０は、ＨＴＭＬ文書データからＲＳＳ文書データ化する範囲対象を決定する部分であり、ＵＲＬ指定部１１１と、ページ取得部１１２と、部分指定部１１３と、部分情報保存部１１４とを有する。
【００４２】
ＵＲＬ指定部１１１は、ＲＳＳ文書データ化する対象のＨＴＭＬ文書データＵＲＬの入力を受け付ける。
ページ取得部１１２は、上記で入力されたＨＴＭＬ文書データＵＲＬへアクセスし、ＨＴＭＬ文書データを取得する。
部分指定部１１３は、上記で取得したＨＴＭＬ文書データ中のＲＳＳ文書データ化するＨＴＭＬ部分範囲を決定する。
部分情報保存部１１４は、上記で決定したＨＴＭＬ部分範囲を特定する情報を、レイアウト情報記憶部２２１に送信し、記憶させる。
【００４３】
レイアウト情報決定部２１０は、一または複数のＲＳＳ文書データ内容をまとめて利用者に提供するＨＴＭＬ文書データのレイアウトを決定する部分であり、ＵＲＬ指定部２１１と、ＲＳＳ取得部２１２と、ＲＳＳ表示部２１３と、レイアウト指定部２１４と、レイアウト情報保存部２１５とを有する。
ＵＲＬ指定部２１１は、インターネット上で提供される任意のＲＳＳ文書データＵＲＬを決定する。
【００４４】
ＲＳＳ取得部２１２は、上記ＲＳＳ文書データＵＲＬからＲＳＳ文書データを取得する。
ＲＳＳ表示部２１３は、上記ＲＳＳ文書データを読み込んで、ＲＳＳ文書データに含まれる記事タイトルや記事ＵＲＬなどの情報を抽出し、ディスプレイに表示する。
レイアウト指定部２１４は、上記取得した一または複数のＲＳＳ文書データ内容を表示するＨＴＭＬ文書データのページレイアウトを設定する。
レイアウト情報保存部２１５は、上記ＨＴＭＬ文書データのページレイアウト情報をレイアウト情報記憶部２２１に送信し、記憶させる。
【００４５】
ウェブサーバ３０２は、編集者端末３０１で設定された情報を元にＲＳＳ文書データとＨＴＭＬ文書データとを生成して利用者端末３０３に提供し、ＲＳＳ提供部１２０と、レイアウト情報制御部２２０とを有する。
ＲＳＳ提供部１２０は、編集者端末３０１で設定された情報を元にＲＳＳ文書データを生成する部分であり、部分情報記憶部１２１と、ＨＴＭＬ取得部１２２と、部分抽出部１２３と、ＲＳＳ生成部１２４と、ＲＳＳ保存部１２５と、ＲＳＳ記憶部１２６と、ＲＳＳ配信部１２７とを有する。
【００４６】
部分情報記憶部１２１は、編集者端末３０１から受信するＵＲＬとＨＴＭＬ文書データの任意の範囲箇所情報を記憶する。
ＨＴＭＬ取得部１２２は、上記ＵＲＬからＨＴＭＬ文書データを取得する。
部分抽出部１２３は、上記ＨＴＭＬ文書データから、ＨＴＭＬ文書データの任意の範囲箇所を検出する。
ＲＳＳ生成部１２４は、上記で検出したＨＴＭＬ文書データの任意の範囲箇所に含まれる情報からＲＳＳ文書データを生成する。
ＲＳＳ保存部１２５は、上記で生成したＲＳＳ文書データをＲＳＳ記憶部１２６に記憶させる。
ＲＳＳ記憶部１２６は、上記ＲＳＳ文書データの記憶部である。
ＲＳＳ配信部１２７は、上記ＲＳＳ文書データの要求を受付け、提供する。
【００４７】
レイアウト情報制御部２２０は、編集者端末３０１で設定された情報を元にＨＴＭＬ文書データを生成する部分であり、レイアウト情報記憶部２２１と、ＨＴＭＬ配信部２２２とを有する。
レイアウト情報記憶部２２１は、編集者端末３０１から受信するレイアウト情報を記憶する。
ＨＴＭＬ配信部２２２は、上記レイアウト情報に従ってＨＴＭＬ文書データを生成し、提供する。
ウェブサーバに備えられているＲＳＳ保存部１２５およびレイアウト情報記憶部２２１はハードディスク、ＲＡＭ(Random Access Memory)などの記憶装置でよい。
【００４８】
利用者端末３０３は、ＲＳＳ提供部１２０から受信するＲＳＳ文書データとＨＴＭＬ文書データとを表示する端末であり、レイアウト表示部２３０を有する。
レイアウト表示部２３０は、ＲＳＳ取得部２３１と、レイアウト情報取得部２３２と、レイアウト部２３３と、表示部２３４とを有する。
ＲＳＳ取得部２３１は、ユーザから入力されるＲＳＳ文書データ取得要求情報に従って、ＲＳＳ文書データを取得する。
レイアウト情報取得部２３２は、ユーザから入力されるＲＳＳ文書データ内容表示要求情報に従って、ＨＴＭＬ配信部２２２からレイアウト制御ＨＴＭＬ文書データを取得する。
レイアウト部２３３は、上記で取得したレイアウト制御ＨＴＭＬ文書データをディスプレイに表示させる。
表示部２３４は、利用者端末３０３が有するディスプレイである。
【００４９】
次に、図３のフローチャートを参照して、ＨＴＭＬ文書データのＲＳＳ文書データ化について説明する。
ＵＲＬ指定部１１１は、ＲＳＳ文書データ化ＵＲＬ入力画面を編集者端末３０１のディスプレイに表示させる。ＲＳＳ文書データ化ＵＲＬ入力画面はＲＳＳ文書データ化するウェブページのＵＲＬの入力を受け付ける画面であり、例えば、ＵＲＬ文字列を入力可能なテキストボックスを有する。または、複数のＵＲＬの一覧を表示し、その中から任意のＵＲＬを選択可能な画面などでも良い。編集者は、入力デバイスを利用して、ＲＳＳ文書データ化対象ＵＲＬ情報を文字列で上記テキストボックスに入力する（ステップＳ３０１）。
【００５０】
上記ＲＳＳ文書データ化対象ＵＲＬ情報の入力が完了すると、ページ取得部１１２は、ＲＳＳ文書データ化対象ＵＲＬにアクセスし、ＲＳＳ文書データ化対象ＵＲＬに対応するＨＴＭＬ文書データを受信する（ステップＳ３０２）。
上記でＨＴＭＬ文書データを受信すると、部分指定部１１３は、抽出部分指定画面を編集者端末３０１のディスプレイに表示させる。抽出部分指定画面は、例えば、画面がフレームにて左右２つに区切られており、画面左部には上記取得したＨＴＭＬ文書データを、画面右部には選択画面を表示する（図８）。
【００５１】
部分指定部１１３は、画面右部の選択画面には、「ＩＤで指定」と「コメントで指定」と「マウスで指定」とのいずれかを選択可能な第１のドロップダウンリストを表示する。
部分指定部１１３は、編集者が入力デバイスを利用して上記第１のドロップダウンリストで「ＩＤで指定」を選択した情報を検出した場合には、画面右部の第１のドロップダウンリストの下部に、上記画面左部に表示されたＨＴＭＬ文書データが含むタグＩＤを要素として備える第２のドロップダウンリストを表示する。
【００５２】
編集者は、上記第２のドロップダウンリストから、ＲＳＳ文書データ化するタグＩＤを選択する。このとき、部分指定部１１３は、編集者が第２のドロップダウンリストからひとつのタグＩＤを選択した情報を抽出部分選択情報として検出し、画面左部の、抽出部分選択情報に対応する箇所に赤色の網掛けを行って表示する（図８では、画面左部の点線で囲まれた部分）。これにより、編集者は、画面右部で選択したタグＩＤが画面左部に表示されたＨＴＭＬ文書データのどの箇所にあたるのかを視覚的に把握することができる。
【００５３】
また、部分指定部１１３は、編集者が第２のドロップダウンリストから任意のＩＤ要素を選択すると、第２のドロップダウンリストの下部に、抽出部分選択情報に対応するＨＴＭＬ要素が含むリンクの一覧を表示する。これにより、編集者は、選択したＨＴＭＬ文書データの抽出部分が含むリンクを視覚的に把握することができる。
【００５４】
図８は、ＲＳＳ文書データ化対象ＵＲＬを「http://www.xxx.ne.jp.index.html」とし、第１のドロップダウンリストで「ＩＤで指定」を選択した場合の画面例である。抽出部分選択情報は「ＩＤ＝“ｐｅｒｓｏｎａｌ”」となっている。画面はフレームによって左右に区切られ、画面左部にはウェブページが表示されており、画面右部には第１のドロップダウンリスト、第２のドロップダウンリスト、リンクの一覧が表示されている。第２のドロップダウンリストには、ＨＴＭＬ文書データＩＤ要素「ｐｅｒｓｏｎａｌ」が選択されている。リンクの一覧には、ＩＤ要素「ｐｅｒｓｏｎａｌ」に対応するＨＴＭＬ要素が含むリンク「ゲスト」、「ゲストＩＤ」、「新規登録」、「ログイン」、「メール」、「ブログ」が表示されている。また、図８に示すように、リンク一覧にはそれぞれのリンクに対応するチェックボックスを設け、チェックするか否かによって、ＲＳＳ文書データ化の対象とするか否かを選択できるようにしても良い。
【００５５】
あるいは、部分指定部１１３は、編集者が入力デバイスを利用して上記第１のドロップダウンリストで「コメントで指定」を選択した情報を検出した場合には、画面右部の第１のドロップダウンリストの下部に、上記画面左部に表示されたＨＴＭＬ文書データに含まれる全てのコメント要素を要素として有する第３のドロップダウンリストと、同様に画面左部に表示されたＨＴＭＬ文書データが含む全てのコメント要素を要素として有する第４のドロップダウンリストを表示する。
【００５６】
部分指定部１１３は、上記第３のドロップダウンリストで選択されたコメント要素を選択部分の開始位置と、また上記第４のドロップダウンリストで選択されたコメント要素を選択部分の終了位置とし、開始位置から終了位置までを抽出部分選択情報とする。部分指定部１１３は、抽出部分選択情報に対応する画面左部のＨＴＭＬ箇所に赤色の網掛けを行う（図９では、画面左部の点線で囲まれた部分）。
また、上記選択部分のＨＴＭＬ要素が含むリンクを全て、第４のドロップダウンリストの下部に一覧にして表示する。
【００５７】
図９は、ＲＳＳ文書データ化対象ＵＲＬを「http://www.xxx.ne.jp.index.html」とし、第１のドロップダウンリストで「コメントで指定」を選択した場合の画面例である。抽出部分選択情報は「ＣＯＭＭＥＮＴ＝｛“ｍｅｎｕ”、“／ｍｅｎｕ”｝」となっている。画面はフレームによって左右に区切られ、画面左部にはウェブページが表示されており、画面右部には第１のドロップダウンリスト、第３のドロップダウンリスト、第４のドロップダウンリスト、リンクの一覧が表示されている。第３のドロップダウンリストには、コメント要素「ｍｅｎｕ」が選択されている。第４のドロップダウンリストには、コメント要素「／ｍｅｎｕ」が選択されている。リンクの一覧には、ＨＴＭＬ文書データ中のコメント要素「ｍｅｎｕ」からコメント要素「／ｍｅｎｕ」までに含まれるリンク「ニュース」、「天気」、「スポーツ」、「テレビ番組」が表示されている。
【００５８】
あるいは、部分指定部１１３は、編集者が入力デバイスを利用して上記第１のドロップダウンリストで「マウスで指定」を選択した情報を検出した場合には、編集者がマウスポインタにて選択した画面左部の任意の箇所を選択部分とし、選択部分に対応するＤＯＭツリー情報を抽出部分選択情報として生成する。例えば、編集者は、マウスポインタにて、画面左部の任意の箇所を白黒反転させて、選択部分を指定する。部分指定部１１３は、編集者が画面左部の任意の箇所の選択が完了した情報を受信した場合には、選択部分のＨＴＭＬ要素をＤＯＭ（Document Object Model）ツリーとして検出する（例えば、特許文献『構造化文書の部分指定・抽出方法及び装置及び構造化文書の部分指定・抽出プログラム及び構造化文書の部分指定・抽出プログラムを格納した記憶媒体』(特願２００２−２０４６４１））。ＤＯＭツリーは、ＨＴＭＬ文書データやＸＭＬ文書データをオブジェクトとして扱い、その構造を木構造として表したツリーである。
【００５９】
本実施形態では、部分指定部１１３は、ＷＩＤＬ（Web Interface Definition Language）の規格（非特許文献『Web Interface Definition Language (WIDL) 』インターネット<URL:http://www.w3.org/TR/NOTE-widl.html>）に沿ったＤＯＭツリーを生成し、ＤＯＭツリーの生成時には、開始タグと終了タグとを検出してツリー構造の解析を行うが、この際、タグＩＤ、タグ名、タグ書式属性名などを参考情報としてツリー解析を行っても良い（例えば、特許文献『構造化文書からの情報抽出方法及び情報抽出プログラム及び情報抽出プログラムを格納した記億媒体』（特願２００２−１９０６２１））。
【００６０】
図１１は、ＤＯＭツリーの木構造例である。ＨＴＭＬ文書データが図１１（ａ）に示したようである場合、これをブラウザで表示すると図１１（ｂ）のようになる。このＨＴＭＬ文書データからＤＯＭツリーを生成すると、図１１（ｃ）に示すような木構造となる。
また、上記選択部分のＨＴＭＬ要素が含むリンクを全て、第１のドロップダウンリストの下部に一覧にして表示する。
【００６１】
図１０は、ＲＳＳ文書データ化対象ＵＲＬを「http://www.xxx.ne.jp.index.html」とし、第１のドロップダウンリストで「マウスで指定」を選択した場合の画面例である。抽出部分選択情報は「ＤＯＭ＝“ＨＴＭＬ［０］．ＢＯＤＹ［０］．ＴＡＢＬＥ［３］．ＴＲ［２］．ＴＤ［１］”」となっている。これは、「http://www.xxx.ne.jp.index.html」で提供されるＨＴＭＬ文書データの４番目の表（ＴＡＢＬＥ［３］）の第３列（ＴＲ［２］）の左から２番目のセル（ＴＤ［１］）を指定した例となっている。クライアントサイドスクリプトを動作させることによって、このようなＤＯＭツリー情報を取得する（非特許文献『JavaScript（登録商標）:The Definitive Guide,Fourth Edition』CHAPTER17 the Document Object Model,pp.274-313, O’Reilly & Associates,Inc（米国））。
【００６２】
画面はフレームによって左右に区切られ、画面左部にはウェブページが表示されており、画面右部には第１のドロップダウンリスト、リンクの一覧が表示されている。リンクの一覧には、上記ＤＯＭツリー情報「ＨＴＭＬ［０］．ＢＯＤＹ［０］．ＴＡＢＬＥ［３］．ＴＲ［２］．ＴＤ［１］」が示すＨＴＭＬ要素が含むリンク「自動車＆バイク」、「旅行」、「住宅・不動産」、「求人＆転職」、「進学＆資格」、「恋愛＆結婚」が表示されている（ステップＳ３０３）。
【００６３】
なお、上記で編集者が選択する抽出部分選択情報は、同一のＨＴＭＬ文書データから複数の範囲箇所を選択しても良い。同一のＨＴＭＬ文書データから複数の範囲箇所を選択する場合のフローチャートを、図４に示す。編集者が抽出部分選択情報を選択する処理は上記に示した通りであり、同様の処理・用語については説明を省略する。
編集者が抽出部分選択情報を選択する情報を入力する（ステップＳ４０１）と、部分指定部１１３は、抽出部分指定画面を表示する。上記で説明したように、編集者が「ＩＤで指定」と、「コメントで指定」と、「ＤＯＭで指定」とから選択方法を選ぶ（ステップＳ４０２、ステップＳ４１１）。「ＤＯＭで指定」を選択した場合は、画面左部からマウスポインタにて選択範囲箇所を指定する（ステップＳ４０３、ステップＳ４０４）。編集者は画面表示から選択領域を確認し（ステップＳ４０５）、必要があれば選択領域の拡大・縮小を行う（ステップＳ４１２）。
【００６４】
また、編集者が「ＩＤで指定」または「コメントで指定」を選択した場合には、それに対応する要素をドロップダウンリストから選択（ステップＳ４１１）すると、部分指定部１１３は、指定領域を表示させる（ステップＳ４１３）。
編集者が選択領域を決定する情報を入力すると、部分指定部１１３は、選択範囲箇所が含むリンクを抽出する。選択範囲箇所にリンクが存在しない場合は、選択エラーとして、もう一度抽出部分指定画面を表示させても良い（ステップＳ４０９）。
編集者はさらに範囲箇所を選択するか否かの情報を入力し、部分指定部１１３は、選択を行う情報を受信した場合にはもう一度抽出部分指定画面を表示させ、選択を終了する情報を受信すれば、本ステップを完了する。
【００６５】
部分情報保存部１１４は、上記でＲＳＳ文書データ化対象ＵＲＬ情報と抽出部分選択情報とが決定すると、ＲＳＳ文書データ化対象ＵＲＬ情報と抽出部分選択情報とを部分情報記憶部１２１に送信し、記憶させる（ステップＳ３０４）。
【００６６】
部分情報記憶部１２１にＲＳＳ文書データ化対象ＵＲＬ情報と抽出部分選択情報とが記憶されると、部分抽出部１２３は、部分情報記憶部１２１からＲＳＳ文書データ化対象ＵＲＬ情報と抽出部分選択情報とを読み出し、ＲＳＳ文書データ化対象ＵＲＬ情報に対応するＵＲＬにアクセスし、ＨＴＭＬ文書データを取得する。また、部分抽出部１２３は、抽出部分選択情報がタグＩＤ情報である場合には、対応するタグＩＤを有するタグが含む情報をＨＴＭＬ部分情報として検出する。あるいは、抽出部分選択情報がコメントタグ情報かＤＯＭツリー情報である場合には、それに対応するＨＴＭＬ部分情報を検出する（ステップＳ３０５）。あるいは、また、部分抽出部１２３は、上記ＨＴＭＬ部分情報が含むリンク情報を検出する（ステップＳ３０６）。
【００６７】
部分抽出部１２３がＨＴＭＬ部分情報とリンク情報とを検出すると、ＲＳＳ生成部１２４は、ＨＴＭＬ部分情報とリンク情報とからＲＳＳ文書データを生成する（ステップＳ３０７）。
図１２は、上記で選択したリンクからＲＳＳ文書データを生成する例である。図１２（ｄ）に示すのは、ＲＳＳ文書データ化対象ＵＲＬと、ＲＳＳ文書データ化対象ＵＲＬから取得したＨＴＭＬ文書データのページタイトルと、ＲＳＳ文書データ化対象ＵＲＬから取得したＨＴＭＬ文書データから抽出部分選択情報に従って抽出したリンクである。
【００６８】
これら図１２（ｄ）に示す情報から、ＲＳＳ文書データを生成した例が、図１２（ｅ）である。
部分抽出部１２３がＲＳＳ文書データを生成すると、ＲＳＳ保存部１２５は、ＲＳＳ文書データ識別情報を生成し、これに上記生成したＲＳＳ文書データ情報を対応付けてＲＳＳ記憶部１２６に保存する（ステップＳ３０８）。
【００６９】
次に、図５のフローチャートを参照して、ＲＳＳ記憶部１２６に記憶された情報を更新する動作例について説明する。
部分抽出部１２３は、システム管理者が定めた一定の時間間隔で、例えば１０分間隔で定期的に、部分情報記憶部１２１からＲＳＳ文書データ化対象ＵＲＬ情報と抽出部分選択情報とを読み出し、ＲＳＳ文書データ化対象ＵＲＬ情報に対応するＵＲＬにアクセスし、ＨＴＭＬ文書データを取得する（ステップＳ５０１）。上記システム管理者が定めた一定の時間間隔は、ＲＳＳ記憶部１２６の情報を最新に保つためにはより短い間隔であることが望ましいが、ネットワーク負荷状態や、利用者からの更新対象となるＵＲＬへの参照頻度などを考慮して設定して良い。
【００７０】
また、部分抽出部１２３は、抽出部分選択情報に対応するＨＴＭＬ部分情報を検出する（ステップＳ５０２）。次に、部分抽出部１２３は、上記ＨＴＭＬ部分情報が含むリンク情報を検出する（ステップＳ５０３）。
部分抽出部１２３がＨＴＭＬ部分情報とリンク情報とを検出すると、ＲＳＳ生成部１２４は、ステップＳ３０７と同様に、ＨＴＭＬ部分情報とリンク情報とからＲＳＳ文書データを生成する（ステップＳ５０４）。
【００７１】
部分抽出部１２３がＲＳＳ文書データを生成すると、ＲＳＳ保存部１２５は、ＲＳＳ記憶部１２６から上記生成したＲＳＳ文書データに対応するＲＳＳ文書データ識別情報を検出し、これに上記生成したＲＳＳ文書データ情報を対応付けてＲＳＳ記憶部１２６に保存し、情報を更新する（ステップＳ５０５）。
【００７２】
次に、図６のフローチャートを参照して、編集者端末３０１が一または複数のＲＳＳ文書データからレイアウト制御ＨＴＭＬ文書データを生成する動作例について説明する。
ＵＲＬ指定部２１１は、レイアウト制御対象ＵＲＬ入力画面を編集者端末３０１のディスプレイに表示させる。レイアウト制御対象ＵＲＬ入力画面は表示レイアウトを設定するＲＳＳ文書データを配信するＵＲＬの入力を受け付ける画面であり、例えば、ＲＳＳ文書データ配信ＵＲＬ文字列を入力可能なテキストボックスを有する。または、複数のＲＳＳ文書データ配信ＵＲＬの一覧を表示し、その中から任意のＲＳＳ文書データ配信ＵＲＬを選択可能な画面などでも良い。編集者は、入力デバイスを利用して、ＲＳＳ文書データ配信ＵＲＬ情報を文字列で上記テキストボックスに入力する（ステップＳ６０１、ステップＳ６０２）。
【００７３】
上記ＲＳＳ文書データ配信ＵＲＬ情報の入力が完了すると、ＲＳＳ取得部２１２は、対応するＲＳＳ文書データ配信ＵＲＬにアクセスし、ＲＳＳ文書データを受信する（ステップＳ６０３）。ＲＳＳ取得部２１２がＲＳＳ文書データを受信すると、ＲＳＳ表示部２１３は、ＲＳＳ文書データを組み込んだレイアウト編集画面を生成し、編集者端末３０１が有するディスプレイに表示させる（ステップＳ６０４）。
【００７４】
レイアウト編集画面は、ＲＳＳ文書データが含む記事タイトルと、記事概要との情報を有する。
レイアウト編集画面では、例えば、設定対象とするＲＳＳ文書データをマウスポインタで選択すると、対応するレイアウト設定画面を表示する。レイアウト設定画面では、例えば、複数のＲＳＳ文書データがある場合はその上下の表示順序、記事の背景色、記事の文字色、記事概要表示の有無、記事概要の文字色、更新日時表示の有無、更新時刻の文字色、ＲＳＳ文書タイトルの背景色、ＲＳＳ文書タイトルの文字色、ＲＳＳ文書データの枠表示の有無などの設定項目を有する。また、背景に表示させる画像ファイルを登録できるようにしても良い。レイアウト設定画面は、ＲＳＳ文書データごとに設定可能としても良い。また、複数のＲＳＳ文書データがある場合の表示順序は、ドラッグ＆ドロップ操作で変更が可能な構成としても良い。（ステップＳ６０５）
【００７５】
図１３は、レイアウト編集画面の画面例である。図１３では、第１、第２、第３のＲＳＳ文書データが表示されており、第２のＲＳＳ文書データがマウスポインタによって選択され、第２のＲＳＳ文書データに対応するレイアウト設定画面が表示されている。
【００７６】
編集者は、複数のＲＳＳ文書データをレイアウトに組み込む場合には、ステップＳ６０１からステップＳ６０５までの動作を繰り返し、複数のＲＳＳ文書データのレイアウトを設定しても良い。
レイアウト情報保存部２１５は、編集者がレイアウト設定を完了した情報を受信すると、設定した上記設定項目情報をレイアウト制御ＨＴＭＬ文書データとして、レイアウト情報記憶部２２１に送信し、保存させる（ステップＳ６０７）。
【００７７】
次に、図７のフローチャートを参照して、利用者端末３０３がＨＴＭＬ文書データとＲＳＳ文書データとを取得する動作例について説明する。
レイアウト情報取得部２３２は、ＨＴＭＬ配信部２２２にＨＴＭＬ文書データ要求情報を送信する。ＨＴＭＬ配信部２２２は、ＨＴＭＬ文書データ要求情報を受信すると、ＨＴＭＬ文書データ要求情報から利用者端末３０３を識別し、レイアウト情報記憶部２２１から対応するレイアウト制御ＨＴＭＬ文書データを読み出してＨＴＭＬ配信部２２２に送信する。
【００７８】
レイアウト情報取得部２３２は、上記レイアウト制御ＨＴＭＬ文書データを受信すると（ステップＳ７０１）、レイアウト制御ＨＴＭＬ文書データが含むレイアウト制御プログラムを実行する。
レイアウト制御プログラムは、レイアウト制御ＨＴＭＬ文書データからＲＳＳ文書データを検出（ステップＳ７０２）すると、対応するＵＲＬにアクセスし（ステップＳ７０３）、ＲＳＳ文書データを取得する（ステップＳ７０４）。また、レイアウト制御プログラムは、取得したＲＳＳ文書データを、レイアウト制御ＨＴＭＬ文書データの情報に従って表示部２３４に表示させる（ステップＳ７０５）。
図１４は、３通りのＲＳＳ文書データを含むレイアウト制御ＨＴＭＬ文書データを表示した画面例である。
【００７９】
次に、レイアウト制御プログラムは、レイアウト制御ＨＴＭＬ文書データがＲＳＳ文書データを複数含む場合には、検出した全てのＲＳＳ文書データについてステップＳ７０３からステップＳ７０５の処理を行う。
なお、本発明は、上記の実施の形態に限定されることなく、特許請求の範囲内において、様々な変更・応用が可能である。
【００８０】
以上のように、本発明による情報提供方法によれば、インターネット上で閲覧可能に提供されるＨＴＭＬ文書データの必要部分を指定してＲＳＳ文書データ化し、生成されたＲＳＳ文書データに加えてインターネット上で閲覧可能に提供される複数のＲＳＳ文書データを取り込んで生成されるＨＴＭＬ文書データのレイアウトなどを自在に利用者側で設定し、個々の利用者に特化されたＲＳＳ文書データやＨＴＭＬ文書データを提供することが可能となるため、個々の利用者のニーズに適切に応えることができる。
【００８１】
なお、図１における処理部の機能を実現するためのプログラムをコンピュータ読み取り可能な記録媒体に記録して、この記録媒体に記録されたプログラムをコンピュータシステムに読み込ませ、実行することによりウェブ文書データ提供を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００８２】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００８３】
【図１】本発明の一実施形態を示すブロック図である。
【図２】従来技術におけるＲＳＳ生成を説明する図である。
【図３】本発明によりＨＴＭＬの任意の範囲箇所を選択するフローチャートである。
【図４】本発明によりＨＴＭＬの任意の範囲箇所を選択するフローチャートである。
【図５】本発明によりＲＳＳ生成を行うフローチャートである。
【図６】本発明により複数のＲＳＳからＨＴＭＬを生成するフローチャートである。
【図７】本発明におり提供するＨＴＭＬのレイアウト制御を行うフローチャートである。
【図８】本発明によりＨＴＭＬ部分の選択を行う画面例である。
【図９】本発明によりＨＴＭＬ部分の選択を行う画面例である。
【図１０】本発明によりＨＴＭＬ部分の選択を行う画面例である。
【図１１】ＤＯＭツリーの説明図である。
【図１２】本発明により抽出されたリンクとこれに基づいて生成されるＲＳＳ文書の例である。
【図１３】本発明によるレイアウト編集の画面例である。
【図１４】本発明により生成されるＨＴＭＬの画面例である。
【符号の説明】
【００８４】
１１０  部分情報決定部
１１１  ＵＲＬ指定部
１１２  ページ取得部
１１３  部分指定部
１１４  部分情報保存部
１２０  ＲＳＳ提供部
１２１  部分情報記憶部
１２２  ＨＴＭＬ取得部
１２３  部分抽出部
１２４  ＲＳＳ生成部
１２５  ＲＳＳ保存部
１２６  ＲＳＳ記憶部
１２７  ＲＳＳ配信部
２１０  レイアウト情報決定部
２１１  ＵＲＬ指定部
２１２  ＲＳＳ取得部
２１３  ＲＳＳ表示部
２１４  レイアウト指定部
２１５  レイアウト情報保存部
２２０  レイアウト情報制御部
２２１  レイアウト情報記憶部
２２２  ＨＴＭＬ配信部
２３０  レイアウト表示部
２３１  ＲＳＳ取得部
２３２  レイアウト情報取得部
２３３  レイアウト部
２３４  表示部
３０１  編集者端末
３０２  ウェブサーバ
３０３  利用者端末
【図１】
2008123425.tif 000003
【図２】
2008123425.tif 000004
【図３】
2008123425.tif 000005
【図４】
2008123425.tif 000006
【図５】
2008123425.tif 000007
【図６】
2008123425.tif 000008
【図７】
2008123425.tif 000009
【図８】
2008123425.tif 000010
【図９】
2008123425.tif 000011
【図１０】
2008123425.tif 000012
【図１１】
2008123425.tif 000013
【図１２】
2008123425.tif 000014
【図１３】
2008123425.tif 000015
【図１４】
2008123425.tif 000016